(57)【要約】  不断ループ動作を検出するための検出器（４）を含む装置（１）は、装置の効率を向上し、且つ、それらの可能性を増大するために、不断ループ動作（２１−２３）の部分の検出に応答して、事前表示信号に依存して選択されるべき第一機能（３１，３２，３５）又は第二機能（３３，３４，３６，３７，３８）を遂行するためのプロセッサ（６）を備える。第一機能は、第一方向へのスクローリング機能を含み、第二機能は、異なる第二方向へのスクローリング機能を含む。事前表示信号は、さらなる発振器（７）に由来し得るし、或いは、検出器（４）は、さらなる動作（２４−２７）をさらに検出するように構成され、発振器（４１）は、不断ループ動作（２１−２３）の部分の検出に応答して、プロセッサ（６）に向けられた表示信号を生成し且つ不断ループ動作（２１−２３）の部分の期間及び速度を定めるために既に使用され、さらなる動作（２４−２７）の検出に応答して、事前表示信号を生成するようさらに構成される。
2009510559.tif 000002
【特許請求の範囲】
【請求項１】
不断ループ動作を検出するための検出器と、
前記不断ループ動作の少なくとも一部の検出に応答して、前記不断ループ動作の前記少なくとも一部に基づく事前表示信号を生成し、事前表示信号に依存して選択されるべき第一機能又は第二機能を少なくとも遂行するためのプロセッサとを含み、前記第一機能及び前記第二機能は、異なる機能である、
装置。
【請求項２】
前記第一機能は、第一方向へのスクローリング機能を含み、前記第二機能は、第二方向へのスクローリング機能を含み、前記第一方向及び前記第二方向は、非平行な方向である、請求項１に記載の装置。
【請求項３】
前記不断ループ動作の少なくとも一部の検出に応答して、前記プロセッサに向けられる表示信号を生成するための発振器をさらに含む、請求項１に記載の装置。
【請求項４】
前記表示信号は、前記不断ループ動作の前記部分の期間及び速度を定め、前記第一機能及び前記第二機能の期間は、前記不断ループ動作の前記部分の前記期間に関連し、前記第一機能及び前記第二機能の速度は、前記不断ループ動作の前記部分の前記速度に関連する、請求項３に記載の装置。
【請求項５】
前記事前表示信号を生成するためのさらなる発振器をさらに含み、前記発振器及び前記さらなる発振器は、異なる発振器である、請求項３に記載の装置。
【請求項６】
前記検出器は、さらなる動作をさらに検出するよう構成され、前記発振器は、前記さらなる動作の検出に応答して、前記事前表示信号をさらに生成し、前記不断ループ動作の前記部分及び前記さらなる動作は、異なる動作である、請求項３に記載の装置。
【請求項７】
前記不断ループ動作は、ループの開始位置で開始し且つこれらのループを通過する無クラッチ動作である、請求項１に記載の装置。
【請求項８】
前記検出器は、機械的な方法、抵抗的な方法、容量的な方法、又は、誘導的な方法で指又はポインタを介して前記不断ループ動作を感受するための素子を含む、請求項１に記載の装置。
【請求項９】
前記素子は、動作案内手段を含む、請求項８に記載の装置。
【請求項１０】
請求項６に記載の装置における使用のための検出器。
【請求項１１】
請求項６に記載の装置における使用のための発振器。
【請求項１２】
請求項１乃至７のうちのいずれか１項に記載の装置における使用のためのプロセッサ。
【請求項１３】
請求項９に記載の装置における使用のための素子。
【請求項１４】
装置における使用のための方法であって、
不断ループ動作を検出するための検出ステップと、
前記不断ループ動作の少なくとも一部の検出に応答して、前記不断ループ動作の前記少なくとも一部に基づく事前表示信号を生成し、事前表示信号に依存して選択されるべき第一機能又は第二機能を少なくとも遂行するための遂行ステップとを含み、前記第一機能及び前記第二機能は、異なる機能である、
方法。
【請求項１５】
装置における使用のためのコンピュータプログラムであって、
不断ループ動作を検出するための検出機能と、
前記不断ループ動作の少なくとも一部の検出に応答して、前記不断ループ動作の前記少なくとも一部に基づく事前表示信号を生成し、事前表示信号に依存して選択されるべき第一機能又は前記第二機能を少なくとも遂行するための遂行機能とを含み、前記第一機能及び前記第二機能は、異なる機能である、
コンピュータプログラム。
【請求項１６】
請求項１５に記載のコンピュータプログラムを含む媒体。
【発明の詳細な説明】
【技術分野】
【０００１】
本発明は不断ループ動作を検出するための検出器を含む装置に関し、全て装置（との組み合わせ）における使用である、検出器、発振器、プロセッサ、素子、方法、コンピュータプログラム製品、コンピュータプログラム製品を含む媒体にも関する。
【背景技術】
【０００２】
そのような装置の実施例は、オーディオプレーヤ、ビデオプレーヤ、ラップトップ、及び、デスクトップのような消費者製品、ユーザーインターフェース及びマシンインターフェースのような消費者製品の部分、並びに、非消費者製品及びその部分である。
【０００３】
従来技術はＵＳ２００４／０２２４６８３Ａ１号から既知であり、それは、その図１中に、タッチパッドとタッチパッドの下のセンサ構成とを含むメディアプレーヤを開示している。このセンサ構成は、不断ループ動作を検出するための検出器を形成している。不断ループ動作は、使用者が、例えば、文書全体及びメニュー全体をタッチパッドから離さずにスクロールできるという利点を有する。文書全体及びメニュー全体をスクロールするのにスクローリングホイールの数回の不断動作を必要とするスクローリングホイールを備えるマウスの使用と比較すると、不断ループ動作の使用は、装置をより使用者に優しくする。
【０００４】
既知の装置は、とりわけ、不断ループ動作が比較的少ない機能のために使用されるという事実、並びに、これらの不断ループ動作は比較的大きな面積のタッチパッドを必要とするという事実の故に、不利である。時計回りループを行うことは、例えば、下向きスクローリングをもたらし、反時計回りループを行うことは、例えば、上向きスクローリングをもたらす。よって、不断ループ動作は上向き／下向きスクローリングのために使用され、比較的大きな面積を備えるタッチパッドは比較的非効率的に使用される。結果的に、従来技術の装置は、比較的非効率的な装置である。
【発明の開示】
【発明が解決しようとする課題】
【０００５】
とりわけ、不断ループ動作を検出するための検出器を含む比較的効率的な装置を提供することが本発明の目的である。
【０００６】
本発明のさらなる目的は、とりわけ、比較的効率的な装置（との組み合わせ）において全て使用される、検出器、発振器、プロセッサ、素子、方法、コンピュータプログラム製品、コンピュータプログラム製品を含む媒体を提供することである。
【課題を解決するための手段】
【０００７】
本発明に従った装置は、
−  不断ループ動作（２１乃至２３）を検出するための検出器（４）と、
−  不断ループ動作（２１乃至２３）の少なくとも一部の検出に応答して、不断ループ動作の少なくとも一部に基づく事前表示信号を生成し、事前表示信号に依存して選択されるべき第一機能（３１，３２，３５）又は第二機能（３３，３４，３６，３７，３８）を少なくとも遂行するためのプロセッサ（６）とを含み、第一機能及び第二機能は異なる機能である。
【０００８】
少なくとも２つの異なる機能を導入することによって、並びに、事前表示信号に依存してそれらの少なくとも１つを選択することによって、不断ループ動作は１つも多くの目的のために使用される。第一機能は、例えば、画像の上向き／下向きのスクローリング機能を含み、第二機能は、例えば、画像に対するズームイン／アウト機能を含むが、他の機能は排除されない。結果的に、本発明に従った装置は、比較的効率的である。
【０００９】
本発明に従った装置は、とりわけ、使用者により多くの可能性をもたらす点で、さらに有利である。
【００１０】
検出器が不断ループ動作を検出し得るという事実は、そのような検出器が非不断動作又は非ループ動作も検出し得ることを排除しない。よって、検出器は不断ループ動作及びそれらの部分を検出する。少なくとも第一機能及び第二機能の実施は、異なる機能の集まりが第三機能等を含むことを排除せず、２つ又はそれよりも多くの機能が同時に遂行されることを排除しない。ループ動作は、如何なる角度的及び／又は非角度的な形状をも有し得るループに従い或いは通過する。
【００１１】
本発明に従った装置の実施態様は、第一方向におけるスクローリング機能を含む第一機能及び第二方向におけるスクローリング機能を含む第二機能によって定められ、第一方向及び第二方向は非平行方向である。第一方向は、例えば、上向き／下向き方向又はｙ方向を含み、第二方向は、例えば、左／右方向又はｘ方向を含む。
【００１２】
本発明に従った装置の実施態様は、
−  不断ループ動作の少なくとも一部の検出に応答して、プロセッサに向けられる表示信号を生成するための発振器をさらに含むことによって定められる。
【００１３】
発振器は、不断ループ動作の少なくとも一部の検出を表示信号に変換し、プロセッサは、直接的な視点からの表示信号に応答して、並びに、間接的な視点からの不断ループ動作の少なくとも一部の検出に応答して、第一又は第二の機能を遂行する。
【００１４】
本発明に従った装置の実施態様は、不断ループ動作の一部の期間及び速度を定める表示信号によって定められ、第一機能及び第二機能の期間は、不断ループ動作の部分の期間に関連し、第一機能及び第二機能の速度は、不断ループ動作の部分の速度に関連する。一方では第一及び第二の機能の期間及び速度並びに他方では不断ループ動作の部分が関連するという事実は、使用者が第一及び第二の機能を十分に制御することを可能にし、それは大きな利点である。
【００１５】
本発明に従った装置の実施態様は、
−  事前表示信号を生成するためのさらなる発振器をさらに含む装置によって定められ、発振器及びさらなる発振器は、異なる発振器である。
【００１６】
表示信号及び事前表示信号を生成するために異なる発振器を使用することは、両方の発振器が同時に遂行されることを可能にする。
【００１７】
本発明に従った装置の実施態様は、さらなる動作をさらに検出するよう構成される検出器と、さらなる動作の検出に応答して事前表示信号をさらに生成する発振器とによって定められ、不断ループ動作の部分及びさらなる動作は異なる動作である。異なる動作を検出するために同一の検出器を使用すること、表示信号及び事前表示信号を生成するために同一の発振器を使用することは、本発明に従った装置にさらなる効率の増大をもたらす。さらなる動作の検出は、次に続く不断ループ動作（の部分）の目的を定め、それは大きな利点である。これは使用者が例えば上向き又は下向き方向にさらなる動作を行うことを可能にし、それに応答して、次に続く不断ループ動作（の部分）は、上向き又は下向きのスクローリングをもたらし、使用者が例えば左又は右の方向へのさらなる動作を行うことを可能にし、それに応答して、次に続く不断ループ動作（の部分）は、左方向又は右方向のスクローリングをもたらす。
【００１８】
異なる動作は、この発明の範囲から逸脱せずに、例えば単一の複合身振りのような単一の身振りの異なる部分及び／又は少なくとも区別可能な部分であり得ることが付記されるべきである。
【００１９】
本発明に従った装置の実施態様は、ループの開始位置で開始し且つこれらのループを通過する無クラッチ動作である不断ループ動作によって定められる。無クラッチ動作は、１つ又はそれよりも多くのループの兄弟で移動するときに使用者が指又はポインタを持ち上げる必要のない動作である。ループは無作為なループであり得る。
【００２０】
本発明に従った装置の実施態様は、機械的な方法、抵抗的な方法、容量的な方法、又は、誘導的な方法で指又はポインタを介して不断ループ動作を感受するための素子を含む検出器によって定められる。機械的な方法での不断ループ動作又はその一部の感受は、回転ホイール等のような機械的構成を使用する。抵抗的な方法、容量的な方法、又は、誘導的な方法での不断ループ動作又はその一部の感受は、抵抗、容量、誘導率（における変化）を感知するための感応性構造を使用する。
【００２１】
本発明に従った装置の実施態様は、動作案内手段を含む素子によって定められる。そのような動作案内手段は、例えば、不断ループ動作及び／又はさらなる動作（の一部）のような使用者からの入力を案内するための１つ若しくはそれよりも多くの溝及び／又は１つ若しくはそれよりも多くの縁を含む。
【００２２】
ＵＳ２００４／０１７４３３６Ａ１号は、画像を複数方向にスクロールするためのスクロールホイールを開示している。スクロールホイールは、第一次元におけるスクローリングのために回転され、スクロールホイールは、第二次元におけるスクローリングのために旋回される。このスクロールホイール組立体は、不利に複雑な機械的構造である。ＵＳ２００４／０２０７６４８号は、ディスプレイまで内での多次元動作を開示している。これらの多次元動作は、窓の特定部分を指すことに応答して行われ、カーソルがこれらの特定部分の上に不利に正確な方法で配置されることを必要とする。ＥＰ１１８２６０６Ａ２号は、スクロールホイールの代わりに光センサを備えるマウスを開示している。この光センサはｘ動作又はｙ動作を検出し、応答して、ｘ方向又はｙ方向にスクロールし、それによって、使用者はクラッチ（動作を行う、この動作を停止する、手又は指を持ち上げる、開始地点に戻る、手又は指を下げる、動作を反復する等）しなければならない。ＧＢ２２３７４８６Ａ号は、２つの次元のスクロールパレットを使用することによるコンピュータディスプレイの制御を開示しており、それによって、第一窓の内容及びサイズは、第二窓内のカーソルの二次元動作を介して制御される。これはカーソルが不利に正確な方法で第二窓内に配置されることを要求する。これらの従来技術文献のいずれも、不断ループ動作を開示せず、これらの従来技術文献のいずれも、そのような不断ループ動作に基づかない。
【００２３】
本発明に従った検出器、本発明に従った発振器、本発明に従ったプロセッサ、本発明に従った素子、本発明に従った方法、本発明に従ったコンピュータプログラム製品、本発明に従った媒体の実施態様は、関連する限りにおいて、本発明に従った装置の実施態様と一致する。本発明に従ったコンピュータプログラム製品は、本発明に従ったプロセッサを介して動作され得るし、本発明に従った媒体は、本発明に従ったプロセッサの一部を形成し得るし或いは結合され得る。本発明に従った検出器、本発明に従った発振器、本発明に従ったプロセッサ、及び／又は、本発明に従った素子は、本発明に従った装置の残部と別個に製造され且つ／或いは販売され得る。
【００２４】
本発明は、とりわけ、不断ループ動作が１つよりも多くの目的のために使用され得るという着想に基づき、とりわけ、不断ループ動作の少なくとも一部の検出に応答して、事前表示信号に依存して少なくとも２つの機能から選択される少なくとも１つの機能が遂行されべきであるという基本概念に基づく。
【００２５】
本発明は、とりわけ、不断ループ動作を検出するための検出器を含む比較的効率的な装置を提供するために問題を解決し、とりわけ、それが使用者により多くの可能性をもたらす点で有利である。
【００２６】
本発明のこれらの及び他の特徴は、以下に記載される実施態様を参照することで明瞭に解明されるであろう。
【発明を実施するための最良の形態】
【００２７】
図１に示される従来技術の装置１は、不断ループ動作２１，２２及びそれらの部分を感受するための素子２を含み、例えば、画像を表示するためのディスプレイ３を含む。不断ループ動作２１，２２の少なくとも一部の感受（検出）に応答して、垂直方向への画像のスクローリングのような機能３１，３２が遂行され、時計回り不断ループ動作２１（の一部）は、例えば、下向きスクローリングをもたらし、反時計回り不断ループ動作２２（の一部）は、例えば、上向きスクローリングをもたらす。
【００２８】
図２に示される本発明に従った装置１は、不断ループ動作２１，２２及びそれらの部分を感受するための素子２を含み、例えば、画像を表示するためのディスプレイ３を含む。不断ループ動作２１，２２の少なくとも一部の感受（検出）に応答して、例えば、垂直方向への画像のスクローリングのような第一機能３１，３２が遂行され、それによって、時計回り不断ループ動作２１（の部分）は、例えば、下向きスクローリングをもたらし、反時計回り不断ループ動作２２（の部分）は、例えば、上向きスクローリングをもたらし、且つ／或いは、例えば、水平方向への画像のスクローリングのような第二機能３３，３４が遂行され、それによって、不断ループ動作２１（の部分）は、例えば、右向きスクローリングをもたらし、反時計回り不断ループ動作２２（の部分）は、例えば、左向きスクローリングをもたらす。装置１は、さらに、例えば、事前表示信号を生成するためのスイッチ又はボタンのようなさらなる発振器７を含む。この事前表示信号は、第一機能３１，３２又は第二機能３３，３４が遂行されるべきか否かを定める。ズームイン／アウト等のような他の機能、及び／又は、上向き／下向きスクローリング及びズームイン／アウト或いはズームイン／アウト及び左向き／右向きスクローリング等のような機能の他の組み合わせは排除されるべきではない。
【００２９】
図３に示される本発明に従った装置１は、不断ループ動作２１，２２及びそれらの部分を検出するための素子２に結合された（或いは接続された）検出器４を含み、さらに、例えば、ディスプレイユニット５と、プロセッサ６と、スイッチ又はボタンのようなさらなる発振器７とを含む。検出器４は、センサコントローラ又は発振器４１に結合された（或いは接続された）２つのセンサドライバ４２，４３に結合された（或いは接続された）センサ４４を含む。ディスプレイユニット５は、２つのディスプレイドライバ５２，５３に結合された（或いは接続された）ディスプレイコントローラ５１を含む。不断ループ動作２１，２２の少なくとも一部の検出に応答して、事前表示信号に依存して選択されるべき第一機能３１，３２又は第二機能３３，３４を少なくとも遂行するために、プロセッサ６はセンサコントローラ又は発振器４１に並びにディスプレイコントローラ５１に結合され（或いは接続され）、第一及び第二の機能３１乃至３４は異なる機能である。
【００３０】
プロセッサ６は、例えば、ストロークを表示する方向を素子２上の指又はポインタの円運動から分離するよう構成される。方向表示ストローク及び円運動は、素子２上での使用に便利なループ又は他の形態であり得る単一の不断動作を形成し得る。方向表示ストロークは、第一又は第二の機能を選択することを可能にする事前選択信号に変換され得る。円運動は、音楽プレイリスト中のスクローリングの距離を表示し得る。
【００３１】
センサコントローラ又は発振器４１は、例えば、不断ループ動作２１，２２の少なくとも一部の検出に応答して、プロセッサ６に向けられた表示信号を生成する。この表示信号は、例えば、不断ループ動作２１，２２の部分の期間及び速度を定める。第一及び第二の機能の期間は、不断ループ動作２１，２２の部分の期間に関連し得る（例えば、同一であり得る）。第一及び第二の機能の速度は、不断ループ動作２１，２２の部分の速度に関連し得る（例えば、同一であり得るし或いは比例し得る）。
【００３２】
素子２及び検出器４の組み合わせは、グラフィカルユーザーインターフェースのようなユーザーインターフェースであると考えられ得るし、グラフィカルマンマシンインターフェースのようなマンマシンインターフェースであると考えられ得る。ディスプレイ３を含むとき、装置１は、オーディオプレーヤ、ビデオプレーヤ、ラップトップ、及び、デスクトップのような消費者製品、又は、非消費者製品であり得る。ディスプレイ３を含まないとき、装置１は、ユーザーインターフェース又はマンマシンインターフェースのような消費者製品の部分、又は、非消費者製品の部分であり得る。
【００３３】
さらなる発振器７が事前表示信号を生成するために使用される場合には、表示信号及び事前表示信号は同時に生成され得る。しかしながら、さらなる発振器７は、使用者が２つの手を同時に使用するか、或いは、双方の異なる生成のために１つの手又は１つの指を使用することを必要とする。
【００３４】
図４は、さらなる発振器７を回避するよう、不断ループ動作の部分と、遂行される異なる機能をもたらすさらなる動作とを示している。そうするために、検出器４は、さらなる動作２４乃至２７をさらに検出するよう構成され、発振器４１は、さらなる動作２４乃至２７の検出に応答して、事前表示信号をさらに生成するよう構成され、不断ループ動作２１乃至２３の部分とさらなる動作２４乃至２７とは異なる動作である。図４には、図２と比較して、各隅部に、ディスプレイ３及び素子２のみが示されている。
【００３５】
図４の左上隅に示されるように、下向き方向のさらなる動作２４は、不断ループ動作２３（の部分）が画像を下向き方向にスクローリングする形態の第一機能３５をもたらすことを定める。
【００３６】
図４の右上隅に示されるように、右向き方向のさらなる動作２５は、不断ループ動作２３（の部分）が画像を右向き方向にスクローリングする形態の第二機能３６をもたらすことを定める。
【００３７】
図４の左下隅に示されるように、左向き方向のさらなる動作２６は、不断ループ動作２３（の部分）が画像を左向き方向にスクローリングする形態の第三機能３７をもたらすことを定める。
【００３８】
図４の右上隅及び左下隅には、同一の時計回りの不断ループ動作２３（の部分）が、画像を右向き方向に並びに左向き方向にスクローリングすることをもたらす。もちろん、代替的に、これは、例えば、時計回り方向又は反時計回り方向の不断ループ動作（の部分）と組み合わせにおける無作為な水平方向へのさらなる動作によって達成され得る。
【００３９】
図４の右下隅に示されるように、左から右への上昇方向の対角的なさらなる動作２７は、不断ループ動作２３（の部分）が、左から右へ上昇方向に対角的にスクローリングする形態の第二機能３８をもたらすことを定める。
【００４０】
他の方向へのさらなる動作、直線の形態でないさらなる動作、場所依存的又は場所非依存的な方法等における感触又は接触の形態のさらなる動作とさらなる動作との組み合わせのような他のさらなる動作が排除されるべきではない。
【００４１】
素子２は、指又は機械的な方法でポインタを介して、不断ループ動作２１乃至２３を感受し、その場合には、素子２は、例えば、軸の回転（の部分）を検出するための図示されないセンサを今や備える検出器４に軸を介して結合されるホイール（の一部）を含む。この機械的実施態様は、好ましくは、さらなる発振器７との組み合わせで使用される。或いは、素子２は、抵抗的な方法、容量的な方法、又は、誘導的な方法で指又はポインタを介して不断ループ動作２１乃至２３を感受し、その場合には、素子２は、例えば、指又はポインタによって触れられるタッチパッドを検出するためのセンサ４４に結合されるタッチパッドを含む。この抵抗的、容量的、又は、誘導的な実施態様は、好ましくは、さらなる動作２４乃至２７との組み合わせにおいて使用される。異なる動作２１乃至２７は、異なる部分、及び／又は、単一の身振り(gesture)、例えば、単一複合身振りの少なくとも区別可能な部分であり得る。
【００４２】
図５中、左図面には、入力される身振りのような入力を案内するための溝を備えるタッチパッドが示されている。右図面には、例えば、４つの単一の複合身振りが示されており、それぞれの身振りは、（ループ動作（の部分）のような）ループ部分が後続する水平又は垂直な開始部分（さらなる動作）を含む。溝は使用者を案内する。
【００４３】
図６中、左図面には、入力される身振りのような入力を案内するための縁を備えるタッチパッドが示されている。右図面には、例えば、４つの単一の複合身振りが示されており、それぞれの身振りは、（ループ動作（の部分）のような）ループ部分が後続する水平又は垂直な開始部分（さらなる動作）を含む。縁は使用者を案内する。
【００４４】
溝及び縁は、使用者からの入力を案内するための案内手段の実施態様であり、部分的に滑らかな並びに部分的に粗い表面等のような他の実施態様を排除しない。溝又は縁の代わりに、動作案内手段は、可能な身振り、並びに、使用者が、例えば、方向表示身振り及び円運動を含む不断動作をどのように遂行し得るかを表示するための、１つ又はそれよりも多くのＬＥＤストリップのような視覚的な案内手段を含み得る。プロセッサ６は、装置１（との組み合わせ）における使用のためのコンピュータプログラム製品を記憶するメモリのような媒体を含み得るし或いは結合され（或いは接続され）得る。
【００４５】
上述の実施態様は本発明を限定するというよりもむしろ例証すること、並びに、当業者であれば付属の請求項の範囲から逸脱せずに多くの代替的な実施態様を設計し得ることが付記されるべきである。請求項中、括弧の間に配置される如何なる参照記号も請求項を制限するものと解釈されるべきではない。「含む」という動詞及びその活用形の使用は、請求項中に述べられている素子又はステップ以外の素子又はステップの存在を排除しない。素子に先行する不定冠詞は、そのような素子が複数存在することを排除しない。本発明は、幾つかの異なる素子を含むハードウェアを用いて或いは適切にプログラムされたコンピュータを用いて実施され得る。装置の請求項において、列記される幾つかの手段、これらの手段のうちの幾つかは、１つ且つ同一の品目のハードウェアによって具現化され得る。特定の手段が相互に異なる従属項中に列挙されている単なる事実は、これらの手段の組み合わせが有利に使用され得ないことを示さない。
【図面の簡単な説明】
【００４６】
【図１】不断ループ動作の部分が遂行される１つの機能をもたらす従来技術の装置の外側を示す概略図である。
【図２】不断ループ動作の部分が遂行される異なる機能をもたらす本発明に従った装置の実施態様の外側を示す概略図である。
【図３】本発明に従った装置の実施態様の内側を示す概略図である。
【図４】さらなる動作が遂行される異なる機能をもたらす不断ループ動作の部分を示す概略図である。
【図５】入力を案内するための溝の形態の案内手段を備えるタッチパッドを示す概略図である。
【図６】入力を案内するための縁の形態の案内手段を備えるタッチパッドを示す概略図である。
【図１】
2009510559.tif 000003
【図２】
2009510559.tif 000004
【図３】
2009510559.tif 000005
【図４】
2009510559.tif 000006
【図５】
2009510559.tif 000007
【図６】
2009510559.tif 000008
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
不断ループ動作の少なくとも一部とさらなる動作とを検出するための検出器を含み、前記不断ループ動作の前記部分と前記さらなる動作とは、異なる動作であり、
前記不断ループ動作の前記少なくとも一部の検出に応答して表示信号を生成し、前記さらなる動作の検出に応答して事前表示信号を生成するための発振器を含み、
前記表示信号に応答して、前記事前表示信号に依存して選択されるべき第一機能又は第二機能を少なくとも遂行するためのプロセッサを含み、前記第一機能及び前記第二機能は、異なる機能である、
装置。
【請求項２】
前記さらなる動作及び前記不断ループ動作の前記部分は、単一の身振りの区別可能な部分である、請求項１に記載の装置。
【請求項３】
前記不断ループ動作は、ループの開始位置で開始し且つ前記ループを通過する無クラッチ動作であり、前記開始位置は、前記さらなる動作を定める、請求項１に記載の装置。
【請求項４】
前記第一機能は、第一方向へのスクローリング機能を含み、前記第二機能は、第二方向へのスクローリング機能を含み、前記第一方向及び前記第二方向は、非平行な方向である、請求項１に記載の装置。
【請求項５】
前記表示信号は、前記不断ループ動作の前記部分の期間及び速度を定め、前記第一機能及び前記第二機能の期間は、前記不断ループ動作の前記部分の前記期間に関連し、前記第一機能及び前記第二機能の速度は、前記不断ループ動作の前記部分の前記速度に関連する、請求項１に記載の装置。
【請求項６】
前記検出器は、機械的な方法、抵抗的な方法、容量的な方法、又は、誘導的な方法で指又はポインタを介して前記不断ループ動作を感受するための素子を含む、請求項１に記載の装置。
【請求項７】
前記素子は、動作案内手段を含む、請求項６に記載の装置。
【請求項８】
請求項１に記載の装置における使用のための検出器。
【請求項９】
請求項１に記載の装置における使用のための発振器。
【請求項１０】
請求項１又は２に記載の装置における使用のためのプロセッサ。
【請求項１１】
請求項７に記載の装置における使用のための素子。
【請求項１２】
装置における使用のための方法であって、
不断ループ動作の少なくとも一部とさらなる動作とを検出するための検出ステップを含み、前記不断ループ動作の前記部分と前記さらなる動作とは、異なる動作であり、
前記不断ループ動作の前記少なくとも一部の検出に応答して表示信号を生成し、前記さらなる動作の検出に応答して事前表示信号を生成するための発振ステップを含み、
前記表示信号に応答して、前記事前表示信号に依存して選択されるべき第一機能又は第二機能を少なくとも遂行するための遂行ステップを含み、前記第一機能及び前記第二機能は、異なる機能である、
方法。
【請求項１３】
装置における使用のためのコンピュータプログラムであって、
不断ループ動作の少なくとも一部とさらなる動作とを検出するための検出機能を含み、前記不断ループ動作の前記部分と前記さらなる動作とは、異なる動作であり、
前記不断ループ動作の前記少なくとも一部の検出に応答して表示信号を生成し、前記さらなる動作の検出に応答して事前表示信号を生成するための発振機能を含み、
前記表示信号に応答して、事前表示信号に依存して選択されるべき第一機能又は前記第二機能を少なくとも遂行するための遂行機能を含み、前記第一機能及び前記第二機能は、異なる機能である、
コンピュータプログラム。
【請求項１４】
請求項１３に記載のコンピュータプログラムを含む媒体。
【国際調査報告】
2009510559.tif 000009
2009510559.tif 000010
2009510559.tif 000011